(57)【要約】      （修正有）【課題】振動や外力により制光部材が横方向にずれて落下する危険のない取付構造を提供する。【解決手段】枠部材２０−１における第一水平取付片１０−３に載置される第一被載置部２０−２にばね材３０を装着する。枠部材における第二水平取付片１０−４に載置される第二被載置部２０−３に蝶番を装着する。蝶番の第一半片４０−１は第二水平取付片に固着される。蝶番における第一半片に連なる第二半片４０−２は第二水平取付片上に起伏自在に配置される。蝶番はその第二半片が起立したときに第二水平取付片に連なる中央片１０−２に過接近しかつ第二半片が自重で伏したときに過接近を阻止する位置規制形蝶番である。第二半片が自重で伏した状態では第一水平取付片に第一被載置部が常に載置される。第二半片が起立した状態では第一水平取付片に対する第一被載置部の載置を解除可能とする。【選択図】図３
2005135886.tif 000002
【特許請求の範囲】
【請求項１】
天井面に沿って走る断面が逆Ｔ字形を呈する互いに平行な一対のＴバーを備え、一対の前記Ｔバーの中央片頂部に跨る器具本体を備え、前記器具本体の下方側に配置されるルーバーのごとき制光部材を備え、前記制光部材を保持する枠部材を備え、一対の前記Ｔバーにおける互いに対向する一対の第一水平取付片および第二水平取付片に前記枠部材を着脱自在に載置するシステム天井用蛍光灯灯器具において、
前記枠部材における前記第一水平取付片に載置される第一被載置部にばね材を装着し、前記枠部材における前記第二水平取付片に載置される第二被載置部に蝶番を装着し、前記ばね部材は前記第一被載置部が前記第一水平取付片に連なる前記中央片に過接近したときに反発する押出し形ばね部材であり、前記蝶番の第一半片は前記第二水平取付片に固着され、前記蝶番における前記第一半片に連なる第二半片は前記第二水平取付片上に起伏自在に配置され、前記蝶番はその前記第二半片が起立したときに前記第二水平取付片に連なる前記中央片に過接近しかつ前記第二半片が自重で伏したときに前記過接近を阻止する位置規制形蝶番であり、前記第二半片が自重で伏した状態では前記第一水平取付片に前記第一被載置部が常に載置され、前記第二半片が起立した状態では前記第一水平取付片に対する前記第一被載置部の前記載置を解除可能としたことを特徴とするシステム天井用蛍光灯灯器具。
【発明の詳細な説明】
【技術分野】
【０００１】  本発明は、Ｔバーを使用するシステム天井に取付可能なシステム天井用蛍光灯器具のルーハのごとき制光部材の取付構造に関する。
【背景技術】
【０００２】  従来技術のルーバのごとき制光部材の取付は、図１、図２に示すように制光部材の枠部材をＴバーに乗せた状態で取付けている。
前記説明のように載せた状態のため振動や外力により制光部材が横方向にずれると落下する危険がある。
【発明の開示】
【発明が解決しようとする課題】
【０００３】  本発明の目的は、前記従来技術の問題点となっていた問題を解決した器具を提供することにある。
【課題を解決するための手段】
【０００４】  制光部材の第一水平取付片に押し出し形バネ部材を、第二水平取付片に位置規制をする蝶番を一対で設けたことで制光部材の横方向の動きを止めることで解決したものである。
【発明の効果】
【０００５】  本発明によれば、安全な枠部材（制光部材）の取付が容易にできる。
【発明を実施するための最良の形態】
【０００６】  本発明の実施形態を図３・図４を用いて説明する。図３・図４に示すように、天井面に沿って走る断面が逆Ｔ字形を呈する互いに平行な一対のＴバー１０を備える。一対の前記Ｔバー１０の中央片頂部１０−１に跨る器具本体５０を備える。前記器具本体５０の下方側に配置されるルーバのごとき制光部材２０を備える。前期制光部材２０を保持する枠部材２０−１を備える。前記枠部材２０−１の第一被載置部２０−２にバネ部材３０を備える。第二被載置部２０−３に蝶番４０を備える。一対の前記Ｔバー１０における互いに対向する一対の第一水平取付片１０−３および第二水平取付片１０−４に前記枠部材２０−１（制光部材２０）を着脱自在に載置する。【０００７】  前記枠部材２０−１における前記第一水平取付片１０−３に載置される第一被載置部２０−２にばね材３０を装着する。前記枠部材２０−１における前記第二水平取付片１０−４に載置される第二被載置部２０−３に蝶番４０を装着する。前記ばね部材３０は前記第一被載置部２０−２が前記第一水平取付片１０−３に連なる前記中央片１０−２に過接近したときに反発する押出し形ばね部材である。前記蝶番４０の第一半片４０−１は前記第二水平取付片１０−４に固着される。前記蝶番４０における前記第一半片４０−１に連なる第二半片４０−２は前記第二水平取付片１０−４上に起伏自在に配置される。前記蝶番４０はその前記第二半片４０−２が起立したときに前記第二水平取付片１０−４に連なる前記中央片１０−２に過接近しかつ前記第二半片４０−２が自重で伏したときに前記過接近を阻止する位置規制形蝶番である。前記第二半片４０−２が自重で伏した状態では前記第一水平取付片１０−３に前記第一被載置部２０−２が常に載置される。前記第二半片４０−２が起立した状態では前記第一水平取付片１０−３に対する前記第一被載置部２０−２の前記載置を解除可能とする。【０００８】  着脱操作は以下の通りである。前記枠部材２０−１（制光部材２０）の取付は、Ｔバーの第一水平取付片１０−３に枠部材２０−１を引っ掛けた後、第一被載置部２０−２に備えたバネ部材３０を撓ませるようにＴバー１０の中央片１０−２に押し付けた状態で枠部材２０−１の第二被載置部２０−３に備えた蝶番４０の第二半片４０−２を曲げてＴバー１０の第二水平取付片１０−４に枠部材２０−１を引っ掛ける。
この時、蝶番４０の第二半片４０−２は自重で伸びた状態となり、一対のＴバー１０の中央片１０−２の間でバネ部材３０と蝶番４０の第二半片４０−２が突っ張りあった状態となりＴバー１０の水平片の上で係止できる。【０００９】  前記枠部材２０−１（制光部材２０）の取り外しは、枠部材２０−１（制光部材２０）をＴバー１０の第一水平取付片１０−３側に押しつけて、枠部材２０−１（制光部材２０）がＴバー１０の第二水平取付片１０−４より外す。
この時  蝶番４０の第二半片４０−２は、上方向に曲がるので容易に枠部材２０−１（制光部材２０）の取り外しができる。【００１０】  以上、説明のように本発明によれば枠部材２０−１（制光部材２０）がＴバー１０の一対の中央片１０−２に対し、枠部材２０−１に備えたバネ部材３０と蝶番４０の第二半片４０−２により突っ張り合っているので、枠部材２０−１（制光部材２０）が振動などで動かないためＴバー１０の水平取付片上に安全に係止できる。
【図面の簡単な説明】
【００１１】
【図１】従来器具を示す側面断面図
【図２】従来器具を示す正面図の部分断面図
【図３】本発明器具の詳細を示す側面断面図
【図４】本発明器具の詳細を示す平面図の部分断面図
【符号の説明】
１０：Ｔバー
１０−１：Ｔバーの中央片頂部
１０−２：Ｔバーの中央片
１０−３：Ｔバーの第一水平取付片
１０−４：Ｔバーの第２水平取付片
２０：制光部材
２０−１：制光部材の枠部材
２０−２：枠部材の第一被載置部
２０−３：枠部材の第２被載置部
３０：バネ部材
４０：蝶番
４０−１：蝶番の第一半片
４０−２：蝶番の第二半片
５０：器具本体
６０：反射板
７０：安定器
８０：ランプソケット
９０：蛍光ランプ
【図１】
2005135886.tif 000003
【図２】
2005135886.tif 000004
【図３】
2005135886.tif 000005
【図４】
2005135886.tif 000006